【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
自走式トラックドリル型掘削機の位置決めブロックから旋回支持ピンを取付けたフィードテーブルが離脱することを防止する離脱防止装置において、
前記位置決めブロックに取付けた第１拘束機構と、
前記フィードテーブルに固定的に取付けた第２拘束機構とを備え、
前記第２拘束機構は、前記第２拘束機構が前記第１拘束機構に対して回動可能な状態で、前記第１拘束機構を収容して保持する、離脱防止装置。
【請求項２】
前記第１拘束機構は一対の耳状張出し部を備えており、前記第２拘束機構は前記一対の耳状張出し部を収容する寸法に形成された凹溝を備える、請求項１記載の離脱防止装置。
【請求項３】
前記第１拘束機構は前記位置決めブロックに固定されており、前記第２拘束機構は前記フィードテーブルに固定される、請求項２記載の離脱防止装置。
【請求項４】
前記第２拘束機構は前記フィードテーブルに取付けられた一対の雌形拘束部材を備えており、それら雌形拘束部材の各々が前記凹溝の一部を画成する、請求項２記載の離脱防止装置。
【請求項５】
前記一対の雌形拘束部材は互いに離隔して配置されて一対の挿入用ギャップ部を画成しており、前記凹溝は前記一対の挿入用ギャップ部の部分において途切れる、請求項４記載の離脱防止装置。
【請求項６】
前記一対の挿入用ギャップ部の各々の長さは前記第１拘束機構に形成された前記一対の耳状張出し部の各々の長さ以上であり、それによって、前記一対の耳状張出し部が前記一対の挿入用ギャップ部を通過できるようにされる、請求項５記載の離脱防止装置。
【請求項７】
前記一対の雌形拘束部材に取付けることのできる一対のリテーナキャップを更に備えており、前記一対のリテーナキャップの各々は、前記一対の雌形拘束部材の間の前記一対の挿入用ギャップ部のうちの１つずつを亘って延在する形状に形成される、請求項５記載の離脱防止装置。
【請求項８】
前記一対のリテーナキャップの各々に凹溝が形成されており、前記一対のリテーナキャップを前記一対の雌形拘束部材に取付けたときに、前記第２拘束機構の前記凹溝が連続した形状となる、請求項７記載の離脱防止装置。
【請求項９】
前記第１拘束機構は前記位置決めブロックに嵌合したブッシュであり、該ブッシュは、前記フィードテーブルの前記旋回支持ピンが嵌合する寸法に形成された中央孔を備える、請求項２記載の離脱防止装置。
【請求項１０】
前記ブッシュは上端リム部と円筒形ボディ部とを備えており、該円筒形ボディ部は前記旋回支持ピンが嵌合する寸法に形成されており、前記上端リム部に前記一対の耳状張出し部が形成される、請求項９記載の離脱防止装置。
【請求項１１】
前記ブッシュが鋼材料から作られる、請求項１０記載の離脱防止装置。
【請求項１２】
前記第２拘束機構は、前記旋回支持ピンの少なくとも一部に接する、請求項１記載の離脱防止装置。
【請求項１３】
前記第２拘束機構は、前記第１拘束機構に対して軸心が一致して回動可能である、請求項１記載の離脱防止装置。
【請求項１４】
トラックドリル型掘削機の位置決めブロックから旋回支持ピンを取付けたフィードテーブルが離脱することを防止する離脱防止装置において、
前記位置決めブロックに取付けた雄形拘束部材と、
前記フィードテーブルに固定的に取付けた一対の雌形拘束部材とを備え、
前記雄形拘束部材には、一対の耳状張出し部が形成されており、
前記一対の雌形拘束部材の各々は、前記雄形拘束部材に形成された前記一対の耳状張出し部を収容する寸法に形成された凹溝を備えており、
前記雌形拘束部材が前記雄形拘束部材に対して回動可能であり、
前記一対の雌形拘束部材と前記雄形拘束部材とが協働することで、前記フィードテーブルが前記位置決めブロックから離脱する方向へ移動することを阻止する、離脱防止装置。
【請求項１５】
前記一対の雌形拘束部材は互いに離隔して配置されて一対の挿入用ギャップ部を画成する、請求項１４記載の離脱防止装置。
【請求項１６】
前記一対の挿入用ギャップ部の各々の長さは前記雄形拘束部材に形成された前記一対の耳状張出し部の各々の長さ以上であり、それによって、前記雄形拘束部材を前記一対の雌形拘束部材の中に挿入できるようされる、請求項１５記載の離脱防止装置。
【請求項１７】
前記一対の雌形拘束部材によって形成された前記凹溝は円形であり、前記一対の挿入用ギャップ部は互いに正反対の側に位置する、請求項１６記載の離脱防止装置。
【請求項１８】
前記一対の雌形拘束部材に取付けることのできる一対のリテーナキャップを更に備えており、前記一対のリテーナキャップの各々は、前記一対の挿入用ギャップ部のうちの１つずつを亘って延在するように取付けられる、請求項１６記載の離脱防止装置。
【請求項１９】
前記一対のリテーナキャップの各々に凹溝が形成されており、前記一対のリテーナキャップを前記一対の雌形拘束部材に取付けたときに、前記凹溝が連続した形状となる、請求項１８記載の離脱防止装置。
【請求項２０】
前記雄形拘束部材は前記位置決めブロックに嵌合したブッシュであり、該ブッシュは上端リム部と円筒形ボディ部とを備えており、該円筒形ボディ部は前記旋回支持ピンが嵌合する寸法に形成されており、前記上端リム部に前記一対の耳状張出し部が形成される、請求項１４記載の離脱防止装置。
【請求項２１】
前記雄形拘束部材は前記雄拘束機構に対して軸心が一致して回動可能である、請求項１４記載の離脱防止装置。
【請求項２２】
トラックドリル型掘削機の位置決めブロックから旋回支持ピンを取付けたフィードテーブルが離脱することを防止する方法において、
少なくとも一対の耳状張出し部が形成された雄形拘束部材を前記トラックドリル型掘削機の前記位置決めブロックに取付ける工程と、
各々が凹溝を備えた一対の雌形拘束部材を前記フィードテーブルに固定的に取付ける工程と、
前記雄形拘束部材を前記雌形拘束部材の中に挿入する工程であって、前記雄形拘束部材の前記一対の耳状張出し部が前記一対の雌形拘束部材の各々の前記凹溝に収容されるようにし、前記雄形拘束部材は前記雄拘束部材に対して回動可能である、挿入する工程と、
前記雌形拘束部材から前記雄形拘束部材が分離することを阻止する工程とを備える、方法。
【請求項２３】
前記一対の雌形拘束部材は互いに離隔して配置されてそれらの間に一対の挿入用ギャップ部が画成されており、前記一対の挿入用ギャップ部の各々の長さは前記雄形拘束部材に形成された前記一対の耳状張出し部の各々の長さ以上であり、それによって、前記雄形拘束部材の前記一対の耳状張出し部が挿入用ギャップ部を通過できるようにされる、請求項２２記載の方法。
【請求項２４】
前記雄形拘束部材を前記一対の雌形拘束部材の中に収容した後に、前記一対の雌形拘束部材に一対のリテーナキャップを取付け、それら一対のリテーナキャップによって、前記雌形拘束部材から前記雄形拘束部材が分離することを阻止する、請求項２３記載の方法。
【請求項２５】
前記一対のリテーナキャップの各々は、前記雄形拘束部材に形成された前記一対の耳状張出し部を収容する寸法に形成された凹溝を備える、請求項２４記載の方法。
【請求項２６】
前記雄形拘束部材は上端リム部と円筒形ボディ部とを備えたブッシュであり、前記円筒形ボディ部は前記旋回支持ピンが嵌合する寸法に形成されており、前記上端リム部に前記一対の耳状張出し部が形成される、請求項２２記載の方法。
【請求項２７】
前記雄拘束部材を前記雌拘束部材の中に挿入する工程は、前記雌拘束部材が前記雄拘束部材に対して軸心が一致して回動可能であるように、前記雄拘束部材を前記雌拘束部材の中に挿入する工程を更に含む、請求項２２記載の方法。
【請求項２８】
トラックドリル型掘削機の位置決めブロックから旋回支持ピンを取付けたフィードテーブルが離脱することを防止する離脱防止装置において、
前記フィードテーブル及び前記位置決めブロックの間を連結するために、雌拘束部材と協働する雄拘束部材を備え、前記拘束部材の一方が、前記フィードテーブルに固定され、前記拘束部材の他方が前記位置決めブロックに固定されており、前記雄拘束部材は軸に沿って延び、前記雌拘束部材のための回転面を画定しており、前記雄拘束部材及び前記雌拘束部材が前記回転面を横切る方向で分離を拘束するように、前記回転面は、前記軸に対して正の角をなす、離脱防止装置。
【請求項２９】
前記正の角をなした前記回転面は、前記軸に対して全体として横切っている前記回転面を備える、請求項２８記載の方法。
【請求項３０】
前記正の角をなした前記回転面は、前記軸に対して全体として鋭い角度である前記回転面を備える、請求項２８記載の方法。